(57)【要約】【課題】壁面に取付けて、天井面及び床面を広範囲に照射することのできる照明器具を提供する。【解決手段】器具本体２０の互いに平行な第１の照射開口２２および第２の照射開口２３に対して、第１のＬＥＤ光源部２５および第２のＬＥＤ光源部２６をそれぞれ斜めに設けたので、一方の照射開口２２を天井面１２に向け、他の照射開口２３を床面１３に向けることにより、天井面１２および床面１３に対して斜めに照射することができる。これにより、天井面１２および床面１３で反射して、広い範囲で間接光を得ることができる。【選択図】図１
2010198853.tif 000002
【特許請求の範囲】
【請求項１】
互いに平行な第１の照射開口および第２の照射開口を有する器具本体と、
前記第１の照射開口に向けて照射する第１のＬＥＤ光源部と、
前記第２の照射開口に向けて照射する第２のＬＥＤ光源部と、を備え、
前記第１のＬＥＤ光源部は前記第１の照射開口に対して斜めに照射するとともに、前記第２のＬＥＤ光源部は前記第２の照射開口に対して斜めに照射することを特徴とする照明器具。
【請求項２】
前記第１のＬＥＤ光源部及び前記第２のＬＥＤ光源部のうち少なくとも一方の光を反射する反射面を設けたことを特徴とする請求項１記載の照明器具。
【請求項３】
前記第１のＬＥＤ光源部と前記第１のＬＥＤ光源部による第１の照射面との間の距離と、前記第２のＬＥＤ光源部と前記第２のＬＥＤ光源部による第２の照射面との間の距離のうち、遠い方の距離を照射するＬＥＤ光源部により多くのＬＥＤを配置したことを特徴とする請求項1または２記載の照明器具。
【発明の詳細な説明】
【技術分野】
【０００１】
本発明は、光源としてＬＥＤを用い壁面に取り付けて使用するのに好適な照明器具に関するものである。
【背景技術】
【０００２】
従来の白熱灯や蛍光灯を光源として用いた壁面取付用の照明器具は、光源自体が光をあらゆる方向へ拡散する性質を持っているため、壁面、床面、天井面等に容易に照射することができる。
ところで、近年、省エネ化の観点から、消費電力が小さなＬＥＤを照明器具の光源として用いるものが多くなってきた。壁面取付用の照明器具においても同様である。
【０００３】
しかしながら、光源としてＬＥＤを用いた場合には、基板上に光源であるＬＥＤ素子が取付けられている構成上、またＬＥＤの性質上、照射光は片側のみでかつ指向性の強い照射となるため照射面が限定される。このため、照明器具の照射方向とＬＥＤの光軸との間にずれ（角度）がある場合には、ＬＥＤの光軸が照射方向へ向くようにＬＥＤ素子を傾けて取付けることが行われている（例えば特許文献１参照）。
【０００４】
特許文献１に記載の照明装置では、被取付面である天井や壁面に取付けられる基台に対して、ＬＥＤの光軸を傾けて取付け、所望の方向を照射している。また、ＬＥＤの前方にレンズを設けて、照射範囲が広くなるようにしている。
【先行技術文献】
【特許文献】
【０００５】
【特許文献１】特開２００７−１０３８０号公報
【発明の概要】
【発明が解決しようとする課題】
【０００６】
しかしながら、前述した特許文献１に記載の照明装置においては、基台の一方の面にのみＬＥＤが設けられているので、壁面に取付けた際に、天井面及び床面を照射するのに適さないという問題がある。
【０００７】
本発明は、従来の問題を解決するためになされたもので、壁面に取付けて、天井面及び床面を広範囲に照射することのできる照明器具を提供することを目的とする。
【課題を解決するための手段】
【０００８】
本発明の照明器具は、互いに平行な第１の照射開口および第２の照射開口を有する器具本体と、前記第１の照射開口に向けて照射する第１のＬＥＤ光源部と、前記第２の照射開口に向けて照射する第２のＬＥＤ光源部と、を備え、前記第１のＬＥＤ光源部は前記第１の照射開口に対して斜めに照射するとともに、前記第２のＬＥＤ光源部は前記第２の照射開口に対して斜めに照射する構成を有している。
【０００９】
この構成により、器具本体の互いに平行な第１の照射開口および第２の照射開口に対して、第１のＬＥＤ光源部および第２のＬＥＤ光源部をそれぞれ斜めに設けたので、一方の照射開口を天井面に向け、他の照射開口を床面に向けることにより、天井面および床面に対して斜めに照射することができる。これにより、天井面および床面で反射して、広い範囲で間接光を得ることができる。
【００１０】
また、本発明の照明器具は、前記第１のＬＥＤ光源部及び前記第２のＬＥＤ光源部のうち少なくとも一方の光を反射する反射面を設けた構成を有している。
【００１１】
この構成により、反射面を適切な位置に配置することにより、照射方向を制御することができる。
【００１２】
さらに、本発明の照明器具は、前記第１のＬＥＤ光源部と前記第１のＬＥＤ光源部による第１の照射面との間の距離と、前記第２のＬＥＤ光源部と前記第２のＬＥＤ光源部による第２の照射面との間の距離のうち、遠い方の距離を照射するＬＥＤ光源部により多くのＬＥＤを配置した構成を有している。
【００１３】
この構成により、照射面が遠い方のＬＥＤ光源部により多くのＬＥＤを配置したので、照射面を適切な照度で照らすことができる。
【発明の効果】
【００１４】
本発明は、器具本体の互いに平行な第１の照射開口および第２の照射開口に対して、第１のＬＥＤ光源部および第２のＬＥＤ光源部をそれぞれ斜めに設けたので、一方の照射開口を天井面に向け、他の照射開口を床面に向けることにより、天井面および床面に対して斜めに照射することができる。これにより、天井面および床面で反射して、広い範囲で間接光を得ることができるという効果を有する照明器具を提供することができるものである。
【図面の簡単な説明】
【００１５】
【図１】本発明の実施形態にかかる照明器具の取付状態を示す説明図
【図２】照明器具の断面図
【図３】図２中ＩＩＩ位置の拡大図
【図４】（Ａ）は照明器具の正面図、（Ｂ）は（Ａ）中Ｂ方向から見た上面図、（Ｃ）は（Ａ）中Ｃ方向から見た下面図、（Ｄ）は（Ａ）中Ｄ−Ｄ位置の断面図
【発明を実施するための形態】
【００１６】
以下、本発明の実施形態の照明器具について、図面を用いて説明する。
図１は本発明の実施形態にかかる照明器具の取付状態を示す説明図、図２は照明器具の断面図、図３は図２中ＩＩＩ位置の拡大図、図４（Ａ）は照明器具の正面図、図４（Ｂ）は（Ａ）中Ｂ方向から見た上面図、図４（Ｃ）は（Ａ）中Ｃ方向から見た下面図、図４（Ｄ）は（Ａ）中Ｄ−Ｄ位置の断面図である。
【００１７】
図１に示すように、本発明の実施形態にかかる照明器具１０は、例えば、壁面１１に取付けて、天井面１２および床面１３を照射し、その反射光により間接的に照明するのに用いることができる。なお、照明器具１０は、天井面１２までの高さがＨ１で、床面１３からの高さがＨ２の位置に取付けられている。
【００１８】
図２および図３に示すように、照明器具１０は、器具本体２０と、器具本体２０を壁面１１に取付ける基台２１を有する。器具本体２０は、例えば、矩形箱状を呈しており、上方へ開口する第１の照射開口２２および下方へ開口する第２の照射開口２３を有する。従って、第１の照射開口２２と第２の照射開口２３とは、互いに平行に設けられることになる。
【００１９】
図２および図３に示すように、器具本体２０の内部には、上面２４１および下面２４２が傾斜した台座２４が設けられている。台座２４の上面２４１には、第１の照射開口２２に向けて照射する第１のＬＥＤ光源部２５が取付けられており、下面２４２には、第２の照射開口２３に向けて照射する第２のＬＥＤ光源部２６が取付けられている。第１のＬＥＤ光源部２５では、プリント基板２５２上に光源であるＬＥＤ２５１が実装されている。また、第２のＬＥＤ光源部２６では、プリント基板２６２上に光源であるＬＥＤ２６１が実装されている。
【００２０】
図３に示すように、第１のＬＥＤ光源部２５のプリント基板２５２が取付けられている台座２４の上面２４１は、第１の照射開口２２に対して壁面１１から遠ざかる方向へ傾いているため、ＬＥＤ２５１は、第１の照射開口２２に対して斜めに照射することになる。同様に、図２に示すように、第２のＬＥＤ光源部２６のプリント基板２６２が取付けられている台座２４の下面２４２は、第２の照射開口２３に対して傾いているため、ＬＥＤ２６１は、第２の照射開口２３に対して斜めに照射することになる。
【００２１】
図４に示すように、この照明器具１０では、第１のＬＥＤ光源部２５とこの第１のＬＥＤ光源部２５によって照射される第１の照射面である天井面１２との間の距離Ｈ１（図１参照）と、第２のＬＥＤ光源部２６とこの第２のＬＥＤ光源部２６によって照射される第２の照射面である床面１３との間の距離Ｈ２（図１参照）のうち、遠い方の距離を照射する第２のＬＥＤ光源部２６により多くのＬＥＤを配置した。
【００２２】
ここでは、Ｈ１＜Ｈ２であり、第１のＬＥＤ光源部２５と照射面である天井面１２までの距離よりも、第２のＬＥＤ光源部２６と照射面である床面１３までの距離の方が大きい。このため、図４（Ｂ）に示すように、第１のＬＥＤ光源部２５には２個のＬＥＤ２５１を配設し、図４（Ｃ）に示すように、第２のＬＥＤ光源部２６には４個のＬＥＤ２６１を配設した。すなわち、第２のＬＥＤ光源部２６により多くのＬＥＤ２６１を配設した。
【００２３】
第１のＬＥＤ光源部２５の前方である第１の照射開口２２および第２のＬＥＤ光源部２５の前方である第２の照射開口２３には、照射された光を所定の方向および範囲に拡散するために、透明または半透明のガラスや樹脂製のレンズ２７が取付けられている。なお、図３においては第１の照射開口２２についてのみ示してあるが、第２の照射開口２３についてもまったく同様である。
【００２４】
また、器具本体２０の前壁２０１の内面および側壁２０２の内面は、第１のＬＥＤ光源部２５および第２のＬＥＤ光源部２６のうち少なくとも一方の光を反射するように反射面を設けるのが望ましい。例えば、第１のＬＥＤ光源部２５から照射され、前壁２０１の内面で反射した光は、照明器具１０が取付けられている壁面１１側へ反射して、壁面１１を照射する。また、側壁２０２の内面で反射した光は、器具本体２０の左右反対側へ反射して天井面１２を照射する。これにより、照明器具２０よりも上方位置を広い範囲で照明することができる。同様に、第２のＬＥＤ光源部２６から照射された光を反射して、照明器具２０よりも下方位置を広い範囲で照明することができる。なお、反射面に凹凸を設けることにより、光を一層拡散させることができる。
【００２５】
以上、説明した本発明の実施形態にかかる照明器具１０によれば、器具本体２０の互いに平行な第１の照射開口２２および第２の照射開口２３に対して、第１のＬＥＤ光源部２５および第２のＬＥＤ光源部２６をそれぞれ斜めに設けたので、一方の照射開口２２を天井面１２に向け、他の照射開口２３を床面１３に向けることにより、天井面１２および床面１３に対して斜めに照射することができる。これにより、天井面１２および床面１３で反射して、広い範囲で間接光を得ることができる。
【００２６】
また、第１のＬＥＤ光源部２５及び第２のＬＥＤ光源部２６のうち少なくとも一方の光を反射する反射面（例えば、器具本体２０の前壁２０１内面や側壁２０２内面）を設けたので、反射面を適切な位置に配置することにより、照射方向や照射範囲を制御することができる。
【００２７】
さらに、ＬＥＤ光源部２５、２６と照射面である天井面１２や床面１３との間の距離が大きいほう（すなわち、第２のＬＥＤ光源部２６）に、より多くのＬＥＤ２６２を配置したので、床面１３を適切な照度で照らすことができる。
【００２８】
なお、本発明の照明器具は、前述した実施形態に限定されるものでなく、適宜な変形，改良等が可能である。
例えば、前述した実施形態においては、照明器具１０を床面１３よりも天井面１２に近い位置に取付けた場合を例示したが、床面１３に近い場合にも同様に適用可能である。
【符号の説明】
【００２９】
１０  照明器具
１２  天井面（第１の照射面）
１３  床面（第２の照射面）
２０  器具本体
２０１  前壁内面（反射面）
２０２  側壁内面（反射面）
２２  第１の照射開口
２３  第２の照射開口
２５  第１のＬＥＤ光源部
２５１  ＬＥＤ
２６  第２のＬＥＤ光源部
２６１  ＬＥＤ
Ｈ１、Ｈ２  距離
【図１】
2010198853.tif 000003
【図２】
2010198853.tif 000004
【図３】
2010198853.tif 000005
【図４】
2010198853.tif 000006